(57)【要約】【課題】ユーザーの好みに応じて簡易且つ安価に、部分ごとの弾性特性を変更可能なマットレスを提供する。【解決手段】マットレス１０は、上下方向に伸縮可能な複数のポケットコイルを一体的に保持して構成された複数のスプリングユニット６０，７０，８０，９０と、スプリングユニット６０，７０，８０，９０を収容保持可能な収容空間４４が形成された下部弾性体４０と、下部弾性体４０の外周部を覆う上部外装体、下部外装体３０とを有し、下部弾性体４０には、収容空間４４を複数の空間に分割する間仕切り用弾性体５０が備えられ、スプリングユニット６０，７０，８０，９０のそれぞれが、分割された収容空間４４に収容可能な形状に形成されるとともに、分割された収容空間４４のそれぞれに収容保持されて構成される。【選択図】  図１
2010252937.tif 000002
【特許請求の範囲】
【請求項１】
鉛直方向に伸縮可能な複数のコイルスプリングを一体的に保持して構成されたスプリングユニットと、
前記スプリングユニットを収容保持可能なユニット収容凹部が形成された収容保持部材と、
前記収容保持部材の外周部を覆う外装体とを有したマットレスにおいて、
前記収容保持部材には、前記ユニット収容凹部を複数の分割収容凹部に分割する分割部材が備えられ、
前記スプリングユニットは、複数の前記スプリングユニットから構成され、
前記複数のスプリングユニットのそれぞれが、前記分割収容凹部に収容可能な形状に形成されるとともに、前記複数の分割収容凹部のそれぞれに収容保持されて構成されたことを特徴とするマットレス。
【請求項２】
前記複数のスプリングユニットのうち、少なくとも１つの前記スプリングユニットの前記鉛直方向への弾性特性に対して、他の前記スプリングユニットの前記鉛直方向への弾性特性が異なるように構成されたことを特徴とする請求項１に記載のマットレス。
【請求項３】
前記分割部材は、弾性変形可能な板状部材を用いて形成されるとともに前記ユニット収容凹部に収容されており、
前記分割部材は、前記ユニット収容凹部に収容された状態において、前記鉛直方向側の端面の少なくとも一方に鉛直方向側凹凸が形成されたことを特徴とする請求項１または２に記載のマットレス。
【請求項４】
前記収容保持部材は、弾性変形可能な素材を用いて略箱状に形成されるとともに前記鉛直方向における上面が凹むようにして前記ユニット収容凹部が形成され、
前記スプリングユニットが前記分割収容凹部に収容保持された状態において、前記収容保持部材における前記スプリングユニットの側面と対向する内側側面に、側面側凹凸が形成されたことを特徴とする請求項１〜３のいずれかに記載のマットレス。
【請求項５】
鉛直方向に伸縮可能な複数のコイルスプリングを一体的に保持して構成されたスプリングユニットと、
前記スプリングユニットを収容保持可能なユニット収容凹部が複数形成された収容保持部材と、
前記収容保持部材の外周部を覆う外装体とを有したマットレスにおいて、
前記スプリングユニットは、複数の前記スプリングユニットから構成され、
前記複数のスプリングユニットのそれぞれが、前記ユニット収容凹部に収容可能な形状に形成されるとともに、前記複数のユニット収容凹部のそれぞれに収容保持されて構成されたことを特徴とするマットレス。
【請求項６】
前記複数のスプリングユニットのうち、少なくとも１つの前記スプリングユニットの前記鉛直方向への弾性特性に対して、他の前記スプリングユニットの前記鉛直方向への弾性特性が異なるように構成されたことを特徴とする請求項５に記載のマットレス。
【発明の詳細な説明】
【技術分野】
【０００１】
本発明は、外装体の内部にスプリングユニットを収容して構成されたマットレスに関する。
【背景技術】
【０００２】
上記マットレスは一般的に、コイルスプリングが収容されて形成されたポケットコイルを、平面状に複数並べて一体的に保持して形成されたスプリングユニットが内部に備えられ、外周部が肌触りの良い外装体等により覆われて構成されている。この構成から、例えばユーザーがマットレスの上に横たわると、荷重（利用者の体重）に応じてコイルスプリングが圧縮されて縮み、マットレス（コイルスプリング）が適度に凹むようになっている。そのため、ユーザーは身体が過度に圧迫されることがなく、自然な寝姿勢を保つことができ快適な寝心地を得ることが可能である。
【０００３】
ところで、快適な寝心地と感じるマットレスの硬さ（凹み具合）は、ユーザーごとに異なっている。例えば、荷重に対して凹みにくい比較的硬い弾性特性のマットレスを好むユーザーが存在する一方で、凹みやすい比較的柔らかい弾性特性のマットレスを好むユーザーも存在する。このような様々なユーザーの好みに応えるべく、従来種々のマットレスが開発されている。例えば特許文献１の図１には、弾性特性の異なるポケットスプリング集合体２を複数用意しておき、好みの弾性特性を備えたポケットスプリング集合体２を選択して、クッション枠１に収容するように構成されたマットレスが開示されている。
【０００４】
最近において、マットレス全体を同一の弾性特性となるように構成するのではなく、ユーザーの好みに応じて、部分ごとに弾性特性が異なるように構成されたマットレスが要求されている。このようなマットレスを用いれば、例えば上半身と下半身とで弾性特性が異なる構成が可能となり、快適性を一層向上させることができる。
【先行技術文献】
【特許文献】
【０００５】
【特許文献１】特開平１１−５６５３６号公報
【発明の概要】
【発明が解決しようとする課題】
【０００６】
ところで、特許文献１に示す構成のマットレスを用いて上記要求に応えようとすると、ユーザーの好みに応じて部分的に弾性特性の異なるポケットコイルを並べ、これらのポケットコイルを一体とすることにより専用のポケットスプリング集合体を製作する必要がある。そのため、例えばマットレスの弾性特性が身体に合わなくなり、異なる弾性特性のマットレスを望む場合には、その新たな好みに応じた専用のポケットスプリング集合体を別途製作しなければならない。よって、マットレスの弾性特性を変更しようとする場合、その都度専用のポケットスプリング集合体の製作に費用がかかるため、費用を抑えつつ簡易に弾性特性を変更することが困難であるという課題があった。
【０００７】
本発明は、上記課題に鑑みてなされたものであり、ユーザーの好みに応じて簡易に部分ごとの弾性特性を変更可能なマットレスを提供することを目的とする。
【課題を解決するための手段】
【０００８】
上記目的を達成するため、本発明に係るマットレスは、鉛直方向に伸縮可能な複数のコイルスプリングを一体的に保持して構成されたスプリングユニットと、前記スプリングユニットを収容保持可能なユニット収容凹部（例えば、実施形態における収容空間４４）が形成された収容保持部材（例えば、実施形態における下部弾性体４０）と、前記収容保持部材の外周部を覆う外装体（例えば、実施形態における上部外装体２１、下部弾性体３０）とを有し、前記収容保持部材には、前記ユニット収容凹部を複数の分割収容凹部に分割する分割部材（例えば、実施形態における間仕切り用弾性体５０）が備えられ、前記スプリングユニットは、複数の前記スプリングユニットから構成され、前記複数のスプリングユニットのそれぞれが、前記分割収容凹部に収容可能な形状に形成されるとともに、前記複数の分割収容凹部のそれぞれに収容保持されて構成される。
【０００９】
なお、前記複数のスプリングユニットのうち、少なくとも１つの前記スプリングユニットの前記鉛直方向への弾性特性に対して、他の前記スプリングユニットの前記鉛直方向への弾性特性が異なるように構成されたことが好ましい。
【００１０】
上記マットレスにおいて、前記分割部材は、弾性変形可能な板状部材を用いて形成されるとともに前記ユニット収容凹部に収容されており、前記分割部材は、前記ユニット収容凹部に収容された状態において、前記鉛直方向側の端面の少なくとも一方に鉛直方向側凹凸（例えば、実施形態における上面突起５１、下面突起５３）が形成されたことが好ましい。
【００１１】
また、前記収容保持部材は、弾性変形可能な素材を用いて略箱状に形成されるとともに前記鉛直方向における上面が凹むようにして前記ユニット収容凹部が形成され、前記スプリングユニットが前記分割収容凹部に収容保持された状態において、前記収容保持部材における前記スプリングユニットの側面と対向する内側側面に、側面側凹凸（例えば、実施形態における側面突起４３）が形成されたことが好ましい。
【００１２】
本発明に係るマットレスは、鉛直方向に伸縮可能な複数のコイルスプリングを一体的に保持して構成されたスプリングユニットと、前記スプリングユニットを収容保持可能なユニット収容凹部が複数形成された収容保持部材と、前記収容保持部材の外周部を覆う外装体とを有し、前記スプリングユニットは、複数の前記スプリングユニットから構成され、前記複数のスプリングユニットのそれぞれが、前記ユニット収容凹部に収容可能な形状に形成されるとともに、前記複数のユニット収容凹部のそれぞれに収容保持されて構成される。
【００１３】
なお、前記複数のスプリングユニットのうち、少なくとも１つの前記スプリングユニットの前記鉛直方向への弾性特性に対して、他の前記スプリングユニットの前記鉛直方向への弾性特性が異なるように構成されたことが好ましい。
【発明の効果】
【００１４】
本発明にかかるマットレスは、スプリングユニットを収容保持する収容保持部材に、ユニット収容凹部を複数の分割収容凹部に分割する分割部材が備えられ、複数のスプリングユニットのそれぞれが、複数の分割収容凹部のそれぞれに収容保持されて構成される。この構成から、例えば所望の弾性特性のスプリングユニットを所望の位置（分割収容凹部）に挿入することにより、ユーザーの望む弾性特性となったマットレスを提供できる。また、部分ごとの弾性特性を変更する場合には、分割収容凹部に挿入されているスプリングユニットを、所望の弾性特性に形成されたスプリングユニットと入れ替えるだけで良い。そのため、本発明にかかるマットレスは、ユーザーの好みに応じて簡易に部分ごとの弾性特性を変更可能である。
【００１５】
なお、少なくとも１つのスプリングユニットの弾性特性に対して、他のスプリングユニットの弾性特性が異なるように構成されたことが好ましい。この場合には、部分ごとに弾性特性が異なるマットレスを構成可能である。そのため、例えば上半身と下半身とで弾性特性が異なるように構成できるので、ユーザーの好みを忠実に反映させ快適性を向上させたマットレスを提供可能である。
【００１６】
上記マットレスにおいて、分割部材は弾性変形可能な板状部材を用いて形成されるとともに、その上面および下面の少なくとも一方に鉛直方向側凹凸が形成された構成が好ましい。例えば分割部材の上面に鉛直方向側凹凸を形成することにより、ユニット収容凹部を上方から覆う外装体と分割部材とを、鉛直方向側凹凸で当接させることができる。つまり、外装体と分割部材とを、面ではなく点で当接させることができる。そのため、マットレスに荷重が作用した場合、鉛直方向側凹凸が簡単に凹むとともに、分割部材がスプリングユニットと同程度に凹むので、ユーザーに違和感を与えることがなく快適性を確保できる。
【００１７】
また、収容保持部材におけるスプリングユニットの側面と対向する内側側面に、側面側凹凸が形成された構成が好ましい。分割収容凹部にスプリングユニットを挿入する際、スプリングユニットがずれて挿入されて、収容保持部材の内側側面とスプリングユニットの側面とが干渉する場合がある。そうすると、収容保持部材の内側側面が斜めに傾斜して、例えば外装体同士を繋ぐジッパーを閉じにくくなってしまう。これに対して、上記側面側凹凸が形成された構成においては、収容保持部材の内側側面とスプリングユニットの側面とを、側面側凹凸で当接させることができる。つまり、収容保持部材とスプリングユニットとを、面ではなく点で当接させることができる。よって、スプリングユニットがずれて挿入されて場合、側面側凹凸が凹むことにより、収容保持部材の内側側面を簡単に上下方向に略真っ直ぐ位置させることが可能となる。そのため、スプリングユニットの挿入位置に関らず、外装体同士を繋ぐジッパーを確実に閉じることが可能となる。
【００１８】
本発明に係るマットレスは、スプリングユニットを収容保持可能なユニット収容凹部が複数形成された収容保持部材を有し、複数のスプリングユニットがユニット収容凹部のそれぞれに収容されて構成される。この構成から、成形金型を利用する等して、収容保持部材を一体的に形成することが可能である。よって、例えばユニット収容凹部を複数に分割するために分割部材を別途用いる構成と比較して、部品点数を減らすことができ、製造コストの低減を図ることが可能である。
【００１９】
なお、少なくとも１つのスプリングユニットの弾性特性に対して、他のスプリングユニットの弾性特性が異なる構成が好ましい。この構成の場合、部分ごとに弾性特性が異なるマットレスを構成可能である。よって、例えば上半身と下半身とで弾性特性が異なるように構成でき、ユーザーの好みを忠実に反映させて快適性を一層向上させたマットレスを提供可能である。
【図面の簡単な説明】
【００２０】
【図１】本発明を適用したマットレスの斜視図である。
【図２】スプリングユニットの斜視図である。
【図３】図１中のＩＩＩ−ＩＩＩ部分を示した断面図である。
【図４】（ａ）はスプリングユニットが若干左方へずれて挿入された状態の断面図を、（ｂ）は側壁部が斜めの状態でジッパーが閉じられた状態の断面図をそれぞれ示す。
【図５】上方から荷重がかかった状態の断面図である。
【図６】（ａ）〜（ｄ）は別の実施形態に係るマットレスの平面図である。
【発明を実施するための形態】
【００２１】
以下、図面を参照ながら、本発明の実施形態について説明する。説明の便宜上、各図面に示す矢印方向を前後、左右および上下と定義して説明を行う。まず、図１〜３を参照しながら、本発明を適用したマットレス１０の構成について説明する。なお、以下に説明するマットレス１０は、前側が柔らかめで後側が硬めの弾性特性となったダブルベッド用のマットレスを例示している。
【００２２】
マットレス１０は、図１に示すように、略直方体に形成された下収容部１１、およびこの下収容部１１の上面を覆う上層部１２を主体に構成される。下収容部１１は、下部外装体３０、下部弾性体４０、間仕切り用弾性体５０、スプリングユニット６０，７０，８０，９０から構成される。
【００２３】
下部弾性体４０は、図１に示すように、上方からの平面視において略矩形に形成された底部４１、およびこの底部４１の周縁部から上方に延びた側壁部４２から構成される。図１および図３から分かるように、下部弾性体４０の中央部分には、底部４１および側壁部４２により略直方体の収容空間４４が形成される。側壁部４２の内方側側面には、高さ約１０ｍｍの複数の側面突起４３が内方に向けて突出するように形成されている。この下部弾性体４０は、弾性を備えた例えばウレタン樹脂を用いて形成されている。
【００２４】
下部外装体３０は、上記の下部弾性体４０の下面および側面を覆っている。また、下部外装体３０は、内側（下部弾性体４０側）から順に、例えば図示しない不織布、弾性を備えたウレタン樹脂、ポリエステルファイバー、肌触りの良い表面布地等が重ねられて形成されている。
【００２５】
間仕切り用弾性体５０は、弾性を備えた例えばウレタン樹脂を用いて形成されている。また、間仕切り用弾性体５０は、図１に示すように、２つの板状のウレタン樹脂を十字に組み合わせるようにして形成されている。この間仕切り用弾性体５０は、その上面に複数の上面突起５１、側面に複数の側面突起５２、下面に下面突起５３がそれぞれ形成されている（図１および図３参照）。間仕切り用弾性体５０の上下高さは、側壁部４２の上下高さと略同一となっている。
【００２６】
スプリングユニット６０は、図２に示すように、複数のポケットコイル６１およびユニット形成部材６４から構成される。なお、図２においては、スプリングユニット６０の内部構成が分かりやすいように、ユニット形成部材６４を２点鎖線で示している。
【００２７】
ポケットコイル６１の各々は、コイルスプリング６２およびコイル収容袋体６３から構成されている。コイルスプリング６２は、細長い金属線を螺旋状に巻いて形成されている。このコイルスプリング６２が、例えば布地を用いて略円柱状に形成されたコイル収容袋体６３の内部に収容されている。ユニット形成部材６４は、例えば布地を用いて略直方体の袋状に形成されている。このユニット形成部材６４の内部に、上記構成の複数のポケットコイル６１が、上下方向に伸縮可能な向きで収容されている。なお、図２には、左右に４つ、前後に５つのポケットコイル６１が並べられて形成されたスプリングユニット６０を例示している。
【００２８】
スプリングユニット７０は、上記スプリングユニット６０と比較して、基本的には同様の構成となっている（図３等を参照）。スプリングユニット７０のコイルスプリング７２として、例えば上記コイルスプリング６２の金属線と同一素材からなる金属線で、且つコイルスプリング６２よりも線径の太いものが使用されている。そのため、このスプリングユニット７０は、上記スプリングユニット６０と比較して、下方に向けて作用する荷重に対して凹みにくい（硬い）弾性特性を有している。
【００２９】
スプリングユニット８０は、上記スプリングユニット６０と同一構成となっており、スプリングユニット６０と同一の弾性特性を有している。スプリングユニット９０は、上記スプリングユニット７０と同一構成となっており、スプリングユニット７０と同一の弾性特性を有している。また、これらスプリングユニット６０，７０，８０，９０は、略同一形状に形成されている。
【００３０】
上層部１２は、図３に示すように、上部外装体２１、上部弾性体２２およびジッパー２３を主体に構成される。上部弾性体２２は、弾性を備えた例えばウレタン樹脂を用いて、上方からの平面視において略矩形に形成されている。この上部弾性体２２は、下部弾性体４０の収容空間４４を覆うことができる形状となっている。上部外装体２１は、上記の上部弾性体２２の上面を覆っている。また、上部外装体２１は、内側（上部弾性体２２側）から順に、例えば図示しない不織布、弾性を備えたウレタン樹脂、ポリエステルファイバー、肌触りの良い表面布地等が重ねられて形成されている。ジッパー２３は、上部外装体２１の左右方向端部に取り付けられている。このジッパー２３により、上部外装体２１の端部と下部外装体３０の端部同士を繋ぐことができるようになっている。
【００３１】
以上、マットレス１０の構成について説明した。以下において、マットレス１０の組立構成について説明する。
【００３２】
まず、下面および側面が下部外装体３０により覆われた下部弾性体４０の収容空間４４に、間仕切り用弾性体５０を挿入する。そうすることにより、収容空間４４が、互いに略同一形状となった４つの略直方体の空間に分割される。そして、図１に示すように、例えば前方右側の空間にスプリングユニット６０、前方左側の空間にスプリングユニット８０、後方右側の空間にスプリングユニット７０、および後方左側の空間にスプリングユニット９０をそれぞれ挿入する。そうすることにより、スプリングユニット６０〜９０は、下部弾性体４０および間仕切り用弾性体５０により保持される。なお、間仕切り用弾性体５０は、下部弾性体４０に接着されて固定された構成でも、または、単に収容空間４４に挿入されただけの構成でも良い。次に、収容空間４４に上層部１２を被せて覆い、上部外装体２１の端部と下部外装体３０の端部同士をジッパー２３で繋ぐ。このようにして、マットレス１０が組み立てられる。
【００３３】
ところで、上記のようにして組み立てられる際、間仕切り用弾性体５０により分割された空間に対して、左右または前後にずれてスプリングユニットが挿入される場合がある。図４（ａ）には、スプリングユニット９０が左方にずれて挿入された状態の断面図を例示している。このように、例えばスプリングユニット９０が左方にずれて挿入されると、側壁部４２およびスプリングユニット９０の下部同士が干渉して、側壁部４２が外方（左方）に向けて傾斜してしまう。
【００３４】
一般に、図４（ａ）のように側壁部４２が斜めになった状態のままでは、ジッパー２３は閉まりにくい。そのため、側壁部４２に側面突起４３が形成されていない従来の構成のマットレスにおいては、側壁部４２を強引に右方へ押して側壁部４２を上下方向に略真っ直ぐに位置させておき、ジッパー２３を閉めようとすることがあった。このとき、側壁部４２とスプリングユニット９０の側面とが面で当接しているために、側壁部４２を右方へ押しても側壁部４２は縮みにくい。よって、側壁部４２を上下方向に略真っ直ぐに位置させることは困難で、ジッパー２３を閉めづらいという問題が発生していた。そのために、従来の構成においては、スプリングユニットを挿入する際に位置ずれを十分に考慮する必要があった。
【００３５】
一方、本発明を適用したマットレス１０においては、側壁部４２に側面突起４３が形成されている。そのため、図４（ａ）のように側壁部４２が斜めになった状態において、側壁部４２を軽く右方へ押すことにより、側面突起４３とスプリングユニット９０の側面とが点で当接するめに、従来の面で当接している場合と比較して側面突起４３（側壁部４２）が簡単に縮む。よって、スプリングユニット９０の左方へのずれがそれほど大きくない場合には、側壁部４２を簡単に上下方向に略真っ直ぐ位置させることができ、ジッパー２３を確実に閉めることが可能である。
【００３６】
また、スプリングユニット９０の左方へのずれが比較的大きい場合、側面突起４３が縮むことにより、側壁部４２をある程度上下方向に略真っ直ぐ位置させることができ（図４（ｂ）参照）、ジッパー２３を閉めることが可能である。このように、本発明を適用したマットレス１０においては、スプリングユニットを挿入するときのずれを細かく考慮しなくても、ジッパー２３を確実に閉めることが可能である。なお、上記においては、側壁部４２に形成された側面突起４３について説明したが、間仕切り用弾性体５０に形成された側面突起５２に関しても、側面突起４３と同様の効果を有している。
【００３７】
以上、マットレス１０の組立構成について説明した。以下において、上述のようにして組み立てられたマットレス１０の使用状態について説明する。
【００３８】
例えば上半身が柔らかめで、下半身が硬めの弾性特性となったマットレスを好むユーザーの場合、マットレス１０に対して前方に頭を後方に足を向けて横になる。そうすることにより、上半身が柔らかめのスプリングユニット６０およびスプリングユニット８０により支持され、下半身が硬めのスプリングユニット７０およびスプリングユニット９０により支持される。よって、ユーザーは、上半身が比較的凹みやすい（柔らかい）状態で支持され、下半身が比較的凹みにくい（硬い）状態で支持される。そのため、ユーザーは好み通りの弾性特性となったマットレス１０に横たわり、自然な寝姿勢で快適な寝心地を得ることが可能である。
【００３９】
上記ユーザーの好みが変化して、例えば上半身が硬めで、下半身が柔らかめの弾性特性となったマットレスを好むようになった場合について、以下に説明する。この場合、ジッパー２３を開いて、スプリングユニット６０とスプリングユニット７０との位置を入れ替えて収容空間４４に挿入するとともに、スプリングユニット８０とスプリングユニット９０との位置を入れ替えて挿入する。そうすることにより、ユーザーは、上半身が硬めのスプリングユニット７０およびスプリングユニット９０により支持され、下半身が柔らかめのスプリングユニット６０およびスプリングユニット８０により支持される。このように、本発明を適用したマットレス１０においては、単にスプリングユニットを入れ替えるという簡易な方法により、部分ごとの弾性特性を即座に変更することが可能である。
【００４０】
ところで、マットレス１０にユーザーが横たわることにより、マットレス１０に対して下方への荷重が作用し、その荷重に応じて凹むようになっている。このとき、例えばマットレスのある一部分が、その周囲と比較して極端に硬い弾性特性となっている場合には、ユーザーに違和感を与えて快適性を損なう虞がある。このような事態を防止するために、本発明を適用したマットレス１０においては、上述のように間仕切り用弾性体５０の上面に複数の上面突起５１が形成されている。この上面突起５１により、間仕切り用弾性体５０と上層部１２とを点で当接させることができる。
【００４１】
そのため、間仕切り用弾性体５０と上層部１２とが面で当接している構成と比較して、マットレス１０に作用する荷重に対して、間仕切り用弾性体５０を下方へ凹みやすくすることができる。よって、図５に示すように、マットレス１０に対して荷重が作用した場合、間仕切り用弾性体５０は、隣接するスプリングユニット７０およびスプリングユニット９０と同程度に凹むので、ユーザーに違和感を与えることがない。ところで、マットレス１０は、図５に示す状態に対して上下を反転させて（裏返して）、下面側に荷重が作用するような状態で利用される場合があり得る。この場合、間仕切り用弾性体５０の下面に形成された複数の下面突起５３により、上記の上面突起５１と同様の効果を得ることができるので、ユーザーに違和感を与えることがない。
【００４２】
図１に示すように、間仕切り用弾性体５０により収容空間４４を４分割する構成以外にも、例えば図６（ａ）〜（ｄ）に示すような構成も可能である。図６（ａ）は、間仕切り用弾性体１０９により収容空間を左右に２分割し、その分割された空間にスプリングユニット１０１およびスプリングユニット１０２を挿入して構成されたダブルベッド用のマットレス１００を示している。図６（ｂ）は、間仕切り用弾性体１１９により収容空間を前後に２分割し、その分割された空間にスプリングユニット１１１およびスプリングユニット１１２を挿入して構成されたシングル（セミダブル）ベッド用のマットレス１１０を示している。
【００４３】
図６（ｃ）は、間仕切り用弾性体１２９により収容空間を左右および前後に６分割し、その分割された空間に６つのスプリングユニット１２１〜１２３を挿入して構成されたダブルベッド用のマットレス１２０を示している。図６（ｄ）は、間仕切り用弾性体１３９により収容空間を前後に３分割し、その分割された空間に３つのスプリングユニット１３１〜１３３を挿入して構成されたシングル（セミダブル）ベッド用のマットレス１３０を示している。
【００４４】
図６（ａ）〜（ｄ）に示すマットレス１００〜１３０において、各スプリングユニットとして好みの弾性特性に形成されたものを用いるとともに、それらを好みの位置に挿入することにより、ユーザーの好みを忠実に反映させた快適性の高いマットレスを構成可能である。さらに、上述のように、スプリングユニットを入れ替えることにより、ユーザーの様々な好みに対して即座且つ簡易に対応することができる。
【００４５】
上述の実施形態において、線径の異なる金属線からなるコイルスプリングを使用することにより、弾性特性の異なるスプリングユニット６０およびスプリングユニット７０を構成した場合を例示したが、この構成に限定されない。例えば異なる材質の金属線を使用したり、ポケットコイルの配列方法を変更したり、コイルスプリングの長さを変更したり等することにより、ユーザーの好みに応じた互いに弾性特性の異なるスプリングユニットを構成することが可能である。
【００４６】
また、上述の実施形態において、下部弾性体４０と間仕切り用弾性体５０とを別々に形成し、下部弾性体４０に対して間仕切り用弾性体５０を挿入する構成を例示して説明したが、この構成に限定されない。例えば成形金型を利用して、下部弾性体４０と間仕切り用弾性体５０とを一体的に形成することも可能である。このように構成すると、部品点数を減らすことができ、製造コストの低減を図ることが可能である。
【００４７】
上述の実施形態において、柔らかめと硬めの２種類の弾性特性のスプリングユニットを用いた構成を例示して説明したが、この構成に限定されない。例えば柔らかめ、標準的な硬さ、および硬め等の３種類以上の硬さのスプリングユニットを用意しておく。そして、ユーザーが好みの硬さのスプリングユニットを選択し、所望の位置に挿入することにより、好みを忠実に反映させた快適なマットレスを提供可能である。
【符号の説明】
【００４８】
１０  マットレス
２１  上部外装体（外装体）
３０  下部外装体（外装体）
４０  下部弾性体（収容保持部材）
４３  側面突起（側面側凹凸）
４４  収容空間（ユニット収容凹部）
５０  間仕切り用弾性体（分割部材）
５１  上面突起（鉛直方向側凹凸）
５３  下面突起（鉛直方向側凹凸）
６０  スプリングユニット
６２  コイルスプリング
７０  スプリングユニット
８０  スプリングユニット
９０  スプリングユニット
【図１】
2010252937.tif 000003
【図２】
2010252937.tif 000004
【図３】
2010252937.tif 000005
【図４】
2010252937.tif 000006
【図５】
2010252937.tif 000007
【図６】
2010252937.tif 000008